(57)【要約】【課題】水平偏向コイルから垂直偏向コイルへのクロストークの影響を受けることなく、上下糸巻歪を十分に補正することができる垂直偏向装置を提供することである。【解決手段】パラボラ変調回路１２は、水平パラボラ信号ＨＰと垂直変調信号ＶＭと乗算することにより水平パラボラ信号ＨＰを垂直変調信号ＶＭで振幅変調し、垂直変調信号ＶＭに基づいて水平パラボラ信号ＨＰの位相を変調し、変調された水平パラボラ信号ＨＰ１を補正電流出力アンプ７に出力する。ＣＲＴ管面上のＮＳ糸巻歪が左右非対称となっている場合には、左右非対称な水平パラボラ信号ＨＰを発生するように水平パラボラ信号発生回路３２が設定される。水平パラボラ信号発生回路３２において、パラボラ波形に正弦波を合成することによりガルウイング歪を補正することができる。【選択図】図１
2007028655.tif 000002
【特許請求の範囲】
【請求項１】
電子ビームを画面の垂直方向に偏向するために垂直偏向コイルに垂直偏向電流を供給する垂直偏向装置であって、
前記垂直偏向コイルに垂直偏向電流を出力する垂直偏向電流出力回路と、
上下糸巻歪を補正するために水平走査周期でパラボラ状に変化する補正信号を出力する補正回路と、
前記補正回路により出力される補正信号の位相を垂直走査周期で変調する変調回路と、
前記変調回路の出力信号に基づく補正電流を垂直偏向電流に重畳する重畳手段とを備え、
前記補正回路は、水平走査周期で変化するパラボラ波形と他の関数波形との組み合わせにより前記補正信号を出力し、
前記他の関数波形は正弦波形であり、
前記正弦波形は、水平走査周期のａ／ｂ倍の周期を有し、かつ可変の位相を有し、前記ａおよびｂは整数であることを特徴とする垂直偏向装置。
【請求項２】
前記変調回路は、垂直走査期間の前半で前記補正信号の位相を遅らせ、垂直走査期間の後半で前記補正信号の位相を進めることを特徴とする請求項１記載の垂直偏向装置。
【請求項３】
前記補正回路は、前記補正信号のピークの位相を水平走査期間の中央からシフトさせる機能を有することを特徴とする請求項１または２記載の垂直偏向装置。
【請求項４】
前記重畳手段は、
一次巻線および二次巻線を有するトランスと、
前記トランスの一次巻線に接続された駆動回路とを含み、
前記トランスの二次巻線が前記垂直偏向コイルに直列に接続され、
前記駆動回路は、前記合成手段の出力信号に応じて前記トランスの一次巻線に駆動電流を供給することを特徴とする請求項１〜３のいずれかに記載の垂直偏向装置。
【請求項５】
水平走査周期でパルス信号を発生する複数のパルス発生回路と、
前記複数のパルス発生回路により発生されたパルス信号を前記変調回路の出力信号に合成する合成手段とをさらに備え、
前記重畳手段は、前記合成手段の出力信号に基づく補正電流を垂直偏向電流に重畳することを特徴とする請求項１〜４のいずれかに記載の垂直偏向装置。
【請求項６】
前記複数のパルス発生回路は、パルス信号の波高値をそれぞれ独立に制御可能に構成されたことを特徴とする請求項５記載の垂直偏向装置。
【請求項７】
前記複数のパルス発生回路は、パルス信号の位相またはパルス幅をそれぞれ独立に制御可能に構成されたことを特徴とする請求項５または６記載の垂直偏向装置。
【請求項８】
前記複数のパルス発生回路は、パルス信号の極性をそれぞれ独立に制御可能に構成されたことを特徴とする請求項５〜７のいずれかに記載の垂直偏向装置。
【請求項９】
前記変調回路は、前記補正回路により出力される補正信号の波高値を垂直走査周期で変調する第１の変調回路を含み、
前記複数のパルス信号発生回路により出力されるパルス信号の波高値を垂直走査周期で変調する第２の変調回路をさらに備えたことを特徴とする請求項５〜８のいずれかに記載の垂直偏向回路。
【請求項１０】
前記合成手段は、前記補正回路から出力される補正信号と前記複数のパルス発生回路により発生されたパルス信号とを加算する加算器を含むことを特徴とする請求項５〜９のいずれかに記載の垂直偏向装置。
【請求項１１】
垂直ブランキング期間に前記補正電流を０にするブランキング回路をさらに備えたことを特徴とする請求項１〜１０のいずれかに記載の垂直偏向装置。
【発明の詳細な説明】
【技術分野】
【０００１】
本発明は、ＣＲＴ（陰極線管）の上下糸巻歪を補正する補正回路を備えた垂直偏向装置に関する。
【背景技術】
【０００２】
ＣＲＴにおいて、偏向の中心点から管面（蛍光面）までの距離は、周辺部ほど長くなるので、電子ビームの振れは、画面の四隅で最も大きくなる。それにより、ＣＲＴの画面上に表示される画像に上下糸巻歪および左右糸巻歪が発生する。特に、これらの糸巻歪は、ピンクッション歪とも呼ばれ、上下糸巻歪はＮＳ（ノース・サウス）糸巻歪（ピンクッション歪）と呼ばれ、左右糸巻歪はＥＷ（イースト・ウエスト）糸巻歪（ピンクッション歪）と呼ばれる。このような糸巻歪は、電子ビームの偏向角が大きいほど、大きくなる。
【０００３】
図１６（ａ）はＣＲＴ管面上のＮＳ糸巻歪の例を示す図、図１６（ｂ）は垂直偏向電流に重ね合わせたＮＳ糸巻歪補正電流を示す波形図である。なお、図１６において、Ｈは水平走査周期を示し、Ｖは垂直走査周期を示す。
【０００４】
図１６（ａ）に示すように、ＣＲＴの管面上のＮＳ糸巻歪は、左右両端に比べて中央部がくびれた形状となっている。水平走査線の中央部を矢印で示すように上下に移動させることによりＮＳ糸巻歪を補正することができる。そのため、図１６（ｂ）に示すように、垂直走査周期で変化する鋸波状の垂直偏向電流ＶＩに、水平走査周期でパラボラ状に変化するＮＳ糸巻歪補正電流（以下、補正電流と略記する）ａｍを重ね合わせる。補正電流ａｍは、垂直走査期間の前半（画面の上半分）で正の極性を有し、垂直走査期間の後半（画面の下半分）で負の極性を有する。補正電流ａｍの振幅は画面の中央部から上下端に近づくにつれて大きくなっている。
【０００５】
従来、垂直偏向電流に補正電流を重ね合わせるために、過飽和リアクタを用いる方式や、垂直偏向コイルにトランスを直列に挿入し、そのトランスを水平走査周期のパラボラ電流（以下、水平パラボラ電流と呼ぶ）で駆動するトランス方式が採用されてきた。
【０００６】
図１７は従来の過飽和リアクタ方式によるＮＳ糸巻歪補正を示す概略図であり、（ａ）は過飽和リアクタを示し、（ｂ）は過飽和リアクタの磁束密度Ｂと磁界Ｈとの関係を示す図である。
【０００７】
図１７（ａ）において、過飽和リアクタの鉄心５０は３つの脚を有する。また、鉄心５０上には、鉄心５１が配置され、鉄心５１上に永久磁石５２が配置されている。鉄心５０の両側の脚の巻線ＬH1，ＬH2には水平偏向電流ＨＩが流される。それにより、磁束ΦH が発生する。また、鉄心５０の中央部の脚の巻線ＬVには垂直偏向電流ＶＩが流される。それにより、磁束ΦV が発生する。さらに、永久磁石５２により磁束ΦB が発生する。図１７（ｂ）に示すように、過飽和リアクタにおいては、磁界Ｈが大きくなると、磁束密度Ｂは飽和する。
【０００８】
図１７（ａ）の構成により、図１６（ｂ）に示したように、垂直偏向コイルに供給される垂直偏向電流ＶＩに補正電流ａｍが重ね合わされる。トランス方式でも、同様の制御を行っている。このようにして、ＮＳ糸巻歪が補正される。
【特許文献１】特開昭５９−２７４号公報
【特許文献２】特開昭６２−３１２６８号公報
【特許文献３】特開昭５８−７３２８１号公報
【発明の開示】
【発明が解決しようとする課題】
【０００９】
偏向ヨークの内部には、水平偏向コイルと垂直偏向コイルとが直交するように配置されている。偏向ヨークの製造上の問題により、必ずしも水平偏向コイルと垂直偏向コイルとの直交性が保証されていない。よって、偏向ヨーク内部の水平偏向コイルから垂直偏向コイルに水平偏向電流による電流成分が電磁結合により誘導される。
【００１０】
また、水平ブランキング期間において水平偏向コイルで発生する水平フライバックパルスは千数百Ｖｐ−ｐ（ボルト・ピーク・トゥ・ピーク）の電圧に達し、かつその水平フライバックパルスの高調波成分は水平走査周波数の何十倍もの周波数を有するので、水平偏向コイルと垂直偏向コイルとの間の浮遊容量を介して水平偏向コイルと垂直偏向コイルとが結合される。それにより、水平偏向コイルから垂直偏向コイルに水平偏向電流による電流成分が静電結合により誘導される。
【００１１】
以下、水平偏向コイルから垂直偏向コイルに電流成分が誘導されることをＨＶクロストークと呼び、水平偏向コイルから垂直偏向コイルに誘導される電流成分をＨＶクロストーク成分と呼ぶ。ＨＶクロストーク成分が垂直偏向コイルに供給される垂直偏向電流に重畳されると、走査線が歪み、表示される画像が歪む。
【００１２】
なお、垂直偏向コイルから水平偏向コイルには垂直偏向電流による電流成分が誘導される。しかし、水平偏向電流は十数Ａｐ-ｐ（アンペア・ピーク・トゥ・ピーク）と大きいのに対して、垂直偏向電流は１〜２Ａｐ-ｐと小さい。また、垂直ブランキング期間に垂直偏向コイルに発生するパルスの電圧は１００Ｖ未満であり、周波数は数十ヘルツから最大数百ヘルツまでである。そのため、垂直偏向コイルから水平偏向コイルに電磁結合および静電結合により誘導される電流成分は、ほとんど問題にならないほど小さい。
【００１３】
従来の過飽和リアクタ方式およびトランス方式のＮＳ糸巻歪補正では、偏向ヨーク内部で発生するＨＶクロストークを考慮した補正が行われていない。図１８はＨＶクロストークを説明するための図である。
【００１４】
図１８の（ａ）は補正電流が重畳された垂直偏向電流ＶＩを示し、（ｂ）は補正電流ａｍを示し、（ｃ）はＨＶクロストーク成分ＣＲを示し、（ｄ）は補正電流ａｍとＨＶクロストーク成分ＣＲとの合成波形を示す。図１８（ａ）においては、垂直偏向電流ＶＩに重畳された補正電流は大略的に示されている。図１８において、Ｖは垂直走査周期を示す。
【００１５】
図１８（ａ）に示すように、ＮＳ糸巻歪を補正するために、垂直走査周期で変化する鋸波状の垂直偏向電流ＶＩに、水平走査周期でパラボラ状に変化する補正電流が重畳される。上記のように、ＣＲＴ管面の上半分と下半分とで補正電流ａｍの極性が反転される。したがって、図１８（ｂ）に示すように、垂直偏向電流ＶＩの上半分と下半分には極性の異なる補正電流ａｍが重畳される。
【００１６】
ここで、図１８（ｃ）示すように、水平偏向コイルから垂直偏向コイルに垂直走査期間内において水平走査周期で変化するＨＶクロストーク成分ＣＲが発生する。ＨＶクロストーク成分ＣＲの極性は垂直走査期間内で同一である。
【００１７】
そのため、図１８（ｄ）に示すように、ＨＶクロストーク成分ＣＲが補正電流ａｍに合成されると、垂直走査期間の前半部の補正電流のピークは左にシフトし、後半部の補正電流のピークは右にシフトする。それにより、ＣＲＴ管面の上半分と下半分とで異なる画像の歪が発生する。
【００１８】
また、偏向ヨークとＣＲＴとの組み合わせにより発生するＮＳ糸巻歪は、理想的には左右対称になるが、種々の特性のばらつきによりＮＳ糸巻歪が左右対称にならない場合がある。それにより、ＣＲＴ管面上で横線が一直線に表示されない場合がある。
【００１９】
図１９はＮＳ糸巻歪の補正を説明するための概念図であり、（ａ）はＣＲＴ管面上の無補正時のＮＳ糸巻歪を示し、（ｂ）は補正波形を示し、（ｃ）は補正時のＣＲＴ管面を示す。
【００２０】
図１９（ａ）に示すＮＳ糸巻歪を図１９（ｂ）に示すパラボラ状の補正波形を用いて補正した場合、図１９（ｃ）に示すようにＮＳ糸巻歪を直線状に補正することができる。
【００２１】
ところで、最近のＬＣＤ（液晶表示装置）やＰＤＰ（プラズマディスプレイパネル）に代表されるＦＰＤ（フラットパネルディスプレイ）の影響を受けて、ＣＲＴについても、全長短縮化の要求が強まってきている。
【００２２】
しかしながら、ＣＲＴの全長短縮化を行った場合、ＮＳ糸巻歪およびＥＷ糸巻歪が増加する。通常の偏向角のＣＲＴにおける糸巻歪の形状は、パラボラ波形特性（自乗特性）を示すが、全長短縮化ＣＲＴのような偏向角の大きなＣＲＴにおける糸巻歪には、高次の歪成分が発生する。特に、ＮＳ糸巻歪に関しては、水平方向の横線が糸巻状になり、単純なパラボラ波形特性（自乗特性）からずれた、いわゆるガルウイング歪を引き起こす。
【００２３】
図２０はガルウイング歪の発生を説明するための概念図であり、（ａ）はＣＲＴ管面上の無補正時のＮＳ糸巻歪を示し、（ｂ）は補正波形を示し、（ｃ）は補正時のＣＲＴ管面を示す。
【００２４】
図２０（ａ）に示すＮＳ糸巻歪を図２０（ｂ）に示すパラボラ状の補正波形を用いて補正した場合、図２０（ｃ）に示す高次歪成分を有するガルウイング歪が発生する。
【００２５】
ここで、図２１は自乗波形および高次歪成分を有する波形を正規化して示す図である。ガルウイング歪は、図２１の自乗波形と高次歪成分を有する波形との差分がＣＲＴ管面上に歪として発生したものである。
【００２６】
このように、ＣＲＴの偏向角を増大させた場合には、自乗波形の水平パラボラ電流を用いてＮＳ糸巻歪を補正することができない。
【００２７】
水平パラボラ電流（自乗成分）の高調波成分を垂直偏向電流に加算することも可能であるが、垂直偏向コイルの巻線のインダクタンスが数ｍＨのオーダーであり、さらに垂直偏向コイルの巻線の抵抗成分が十数Ωのオーダーであるので垂直偏向コイル自身が水平走査周波数以上の成分に対しては、ローパスフィルタとして動作する。そのため、水平パラボラ電流の高調波成分を加算することを考えた場合、基本の水平パラボラ電流よりかなり大きな高調波成分を垂直偏向電流に加算することが必要となり、回路のダイナミックレンジを広く取る必要性が発生する。
【００２８】
さらに、従来の過飽和リアクタ方式のＮＳ糸巻歪補正では、水平偏向回路から取り出された水平パラボラ電流を利用しているので、垂直ブランキング期間においても水平パラボラ電流は流れており、消費電力が大きい。
【００２９】
本発明の目的は、水平偏向コイルから垂直偏向コイルへのクロストークの影響を受けることなく、上下糸巻歪を十分に補正することができる垂直偏向装置を提供することである。
【００３０】
本発明の他の目的は、左右非対称な上下糸巻歪を十分に補正することができる垂直偏向装置を提供することである。
【００３１】
本発明のさらに他の目的は、偏向角が大きい場合でもＮＳ糸巻歪を十分に補正することができる垂直偏向装置を提供することである。
【課題を解決するための手段】
【００３２】
（１）第１の発明
第１の発明に係る垂直偏向装置は、電子ビームを画面の垂直方向に偏向するために垂直偏向コイルに垂直偏向電流を供給する垂直偏向装置であって、垂直偏向コイルに垂直偏向電流を出力する垂直偏向電流出力回路と、上下糸巻歪を補正するために水平走査周期でパラボラ状に変化する補正信号を出力する補正回路と、補正回路により出力される補正信号の位相を垂直走査周期で変調する変調回路と、変調回路の出力信号に基づく補正電流を垂直偏向電流に重畳する重畳手段とを備え、補正回路は、水平走査周期で変化するパラボラ波形と他の関数波形との組み合わせにより補正信号を出力し、他の関数波形は正弦波形であり、正弦波形は、水平走査周期のａ／ｂ倍の周期を有し、かつ可変の位相を有し、ａおよびｂは整数であることを特徴とするものである。
【００３３】
本発明に係る垂直偏向装置においては、垂直偏向電流出力回路により垂直偏向コイルに垂直偏向電流が出力される。また、補正回路により上下糸巻歪を補正するために水平走査周期でパラボラ状に変化する補正信号が出力される。さらに、補正回路により出力される補正信号の位相が変調回路により垂直走査周期で変調される。重畳手段により、変調回路の出力信号に基づく補正電流が垂直偏向電流に重畳される。
【００３４】
この場合、補正信号の位相が垂直走査周期で変調されることにより、水平偏向コイルから垂直偏向コイルへ誘導されるクロストーク成分の影響が補正される。それにより、クロストークの影響を受けることなく、上下糸巻歪を十分に補正することができる。
【００３５】
特に、パラボラ波形と正弦波形との組み合わせにより、上下糸巻歪に発生する高次歪成分を補正することができる。
【００３６】
この場合、係数ａ、係数ｂおよび位相をそれぞれ任意に設定することにより、上下糸巻歪に発生する高次歪成分を補正することができる。
【００３７】
（２）第２の発明
第２の発明に係る垂直偏向装置は、第１の発明に係る垂直偏向装置の構成において、変調回路は、垂直走査期間の前半で補正信号の位相を遅らせ、垂直走査期間の後半で補正信号の位相を進めるものである。
【００３８】
この場合、クロストーク成分が補正信号に合成されることにより、垂直走査期間の前半で補正信号の位相が進み、垂直走査期間の後半で補正信号の位相が遅れる。したがって、垂直走査期間の前半で補正信号の位相を遅らせ、垂直走査期間の後半で補正信号の位相を進めることにより、クロストーク成分の影響を補正することができる。
【００３９】
（３）第３の発明
第３の発明に係る垂直偏向装置は、第１または第２の発明に係る垂直偏向装置の構成において、補正回路は、補正信号のピークの位相を水平走査期間の中央からシフトさせる機能を有するものである。
【００４０】
これにより、クロストークの影響を受けることなく、左右非対称な上下糸巻歪を補正することができる。
【００４１】
（４）第４の発明
第４の発明に係る垂直偏向装置は、第１〜第３のいずれかの発明に係る垂直偏向装置の構成において、重畳手段は、一次巻線および二次巻線を有するトランスと、トランスの一次巻線に接続された駆動回路とを含み、トランスの二次巻線が垂直偏向コイルに直列に接続され、駆動回路は、合成手段の出力信号に応じてトランスの一次巻線に駆動電流を供給するものである。
【００４２】
この場合、駆動回路により合成手段の出力信号に応じてトランスの一次巻線に駆動電流が供給される。それにより、合成手段の出力信号に基づく補正電流が垂直偏向電流に重畳される。このようにして、垂直偏向電流に補正電流を容易に重畳させることができる。
【００４３】
（５）第５の発明
第５の発明に係る垂直偏向装置は、第１〜第４のいずれかの発明に係る垂直偏向装置の構成において、水平走査周期でパルス信号を発生する複数のパルス発生回路と、複数のパルス発生回路により発生されたパルス信号を変調回路の出力信号に合成する合成手段とをさらに備え、重畳手段は、合成手段の出力信号に基づく補正電流を垂直偏向電流に重畳するものである。
【００４４】
この場合、垂直偏向電流に重畳される補正電流においてパルス信号に対応するパルス成分が垂直偏向コイルにより積分される。それにより、上下糸巻歪に発生する高次歪成分が、積分されたパルス成分により補正される。したがって、偏向角が大きい場合でも、クロストークの影響を受けることなく、ガルウイング歪の発生を防止し、上下糸巻歪を十分に補正することができる。
【００４５】
（６）第６の発明
第６の発明に係る垂直偏向装置は、第５の発明に係る垂直偏向装置の構成において、複数のパルス発生回路は、パルス信号の波高値をそれぞれ独立に制御可能に構成されたものである。
【００４６】
これにより、上下糸巻歪における種々の大きさの高次歪成分を補正することができる。
【００４７】
（７）第７の発明
第７の発明に係る垂直偏向装置は、第５または第６の発明に係る垂直偏向装置の構成において、複数のパルス発生回路は、パルス信号の位相またはパルス幅をそれぞれ独立に制御可能に構成されたものである。
【００４８】
これにより、上下糸巻歪における種々の位相または幅の高次歪成分を補正することができる。
【００４９】
（８）第８の発明
第８の発明に係る垂直偏向装置は、第５〜第７のいずれかの発明に係る垂直偏向装置の構成において、複数のパルス発生回路は、パルス信号の極性をそれぞれ独立に制御可能に構成されたものである。
【００５０】
これにより、上下糸巻歪における種々の極性の高次歪成分を補正することができる。
【００５１】
（９）第９の発明
第９の発明に係る垂直偏向装置は、第５〜第８のいずれかの発明に係る垂直偏向装置の構成において、変調回路は、補正回路により出力される補正信号の波高値を垂直走査周期で変調する第１の変調回路を含み、垂直偏向回路は、複数のパルス信号発生回路により出力されるパルス信号の波高値を垂直走査周期で変調する第２の変調回路をさらに備えたものである。
【００５２】
この場合、補正回路により出力される補正信号の波高値が第１の変調回路により垂直走査周期で変調されるとともに、複数のパルス信号発生回路により出力されるパルス信号の波高値が第２の変調回路により垂直走査周期で変調される。それにより、画面上の各部分で最適な量の補正を行うことができる。
【００５３】
（１０）第１０の発明
第１０の発明に係る垂直偏向装置は、第５〜第９のいずれかの発明に係る垂直偏向装置の構成において、合成手段は、補正回路から出力される補正信号と複数のパルス信号発生回路により発生されたパルス信号とを加算する加算器を含むものである。
【００５４】
この場合、加算器により補正回路から出力される補正信号と複数のパルス信号発生回路により発生されたパルス信号とが加算されることにより、パルス信号と補正信号とが合成される。
【００５５】
（１１）第１１の発明
第１１の発明に係る垂直偏向装置は、第１〜第１０のいずれかの発明に係る垂直偏向装置の構成において、垂直ブランキング期間に補正電流を０にするブランキング回路をさらに備えたものである。
【００５６】
この場合、垂直ブランキング期間において、補正電流が０となるので、省電力化が図られる。
【発明の効果】
【００５７】
本発明によれば、補正信号の位相が垂直走査周期で変調されることにより、水平偏向コイルから垂直偏向コイルへ誘導されるクロストーク成分の影響が補正される。それにより、クロストークの影響を受けることなく、上下糸巻歪を十分に補正することができる。
【００５８】
特に、パラボラ波形と正弦波形との組み合わせにより、上下糸巻歪に発生する高次歪成分を補正することができる。
【００５９】
この場合、係数ａ、係数ｂおよび位相をそれぞれ任意に設定することにより、上下糸巻歪に発生する高次歪成分を補正することができる。
【発明を実施するための最良の形態】
【００６０】
以下、本発明の実施の形態について図面を参照しながら説明する。
【００６１】
（１）第１の実施の形態
図１は本発明の第１の実施の形態における垂直偏向装置の構成を示すブロック図である。図２は図１の垂直偏向装置の各部の信号波形図である。図２において、Ｖは垂直走査周期を示し、Ｈは水平走査周期を示す。
【００６２】
図１の垂直偏向装置において、垂直アンプ１、垂直偏向コイル２、垂直電流検出抵抗３、垂直フィードバック回路４およびトランス６の二次巻線が垂直出力回路５を構成する。垂直アンプ１の入力端子には、垂直走査周期で変化する鋸波電圧ＳＷが与えられる。垂直アンプ１の出力端子と接地端子との間には垂直偏向コイル２、トランス６の二次巻線および垂直電流検出抵抗３が直列に接続されている。トランス６の二次巻線と垂直電流検出抵抗３との接続点は、垂直フィードバック回路４を介して垂直アンプ１の入力端子に接続されている。
【００６３】
補正電流出力アンプ７の出力端子は、トランス６の一次巻線の一端に接続されている。トランス６の一次巻線の他端は、補正電流検出抵抗８を介して接地端子に接続されている。補正電流出力アンプ７の一方の入力端子には後述する変調された水平パラボラ信号ＨＰ１が与えられる。トランス６の一次巻線の他端と補正電流検出抵抗８との接続点は、ＮＳ糸巻歪フィードバック回路９を介して補正電流出力アンプ７の他方の入力端子に接続されている。
【００６４】
垂直変調信号発生回路３１は垂直変調信号（垂直変調電圧）ＶＭを発生する。図２（ａ）に示すように、垂直変調信号ＶＭは、垂直走査周期で鋸波状に変化する。水平パラボラ信号発生回路３２は水平パラボラ信号（水平パラボラ電圧）ＨＰを発生する。図２（ｂ）に示すように、水平パラボラ信号ＨＰは、水平走査周期でパラボラ状に変化する。
【００６５】
垂直走査期間水平パラボラ変調回路（以下、パラボラ変調回路と略記する）１２には、垂直変調信号発生回路３１により発生された垂直変調信号ＶＭおよび水平パラボラ信号発生回路３２により発生された水平パラボラ信号ＨＰが与えられる。パラボラ変調回路１２は、水平パラボラ信号ＨＰと垂直変調信号ＶＭとを乗算することにより水平パラボラ信号ＨＰを垂直変調信号ＶＭで振幅変調し、垂直変調信号ＶＭに基づいて水平パラボラ信号ＨＰの位相を変調し、変調された水平パラボラ信号ＨＰ１を補正電流出力アンプ７の一方の入力端子に出力する。図２（ｃ）に示すように、垂直走査期間の前半では、水平パラボラ信号ＨＰ１の極性は反転せず、水平パラボラ信号ＨＰ１の振幅は垂直変調信号ＶＭのレベルにしたがって徐々に減少し、垂直走査期間の後半では、水平パラボラ信号ＨＰ１の極性が反転し、水平パラボラ信号ＨＰ１の振幅は垂直変調信号ＶＭのレベルにしたがって徐々に増加する。
【００６６】
図３は図１の垂直偏向装置におけるＮＳ糸巻歪補正を説明するための波形図である。
【００６７】
図３（ａ）は水平パラボラ信号発生回路３２により出力される水平パラボラ信号ＨＰを示し、図３（ｂ）は水平偏向コイルから垂直偏向コイルに誘導される電流（ＨＶクロストーク成分）ＣＲを示し、図３（ｃ）は図３（ａ）の水平パラボラ信号ＨＰと図３（ｂ）のＨＶクロストーク成分ＣＲとの合成波形を示し、図３（ｄ）はパラボラ変調回路１２により変調された水平パラボラ信号ＨＰ１を示し、図３（ｅ）は図３（ｄ）の水平パラボラ信号ＨＰ１と図３（ｃ）のＨＶクロストーク成分ＣＲとの合成波形を示す。
【００６８】
図３（ａ）に示すように、水平パラボラ信号発生回路３２からは、水平走査周期で変化する水平パラボラ信号ＨＰが出力される。図３（ｂ）に示すように、ＨＶクロストーク成分ＣＲは水平走査周期で変化する。
【００６９】
図３（ａ）の水平パラボラ信号ＨＰと図３（ｂ）のＨＶクロストーク成分ＣＲとが合成（加算）される。それにより、図３（ｃ）に示すように、管面上部では、合成された波形の位相が水平走査期間内で進み、管面下部では、合成された波形の位相が水平走査期間内で遅れる。すなわち、管面上部では、合成された波形のピークが水平方向の左にシフトし、管面下部では、合成された波形のピークが水平方向の右にシフトする。
【００７０】
図１のパラボラ変調回路１２は、管面上部では、水平パラボラ信号ＨＰの位相を遅らせ、管面下部では、水平パラボラ信号ＨＰの位相を進める。それにより、図３（ｄ）に示すように、管面上部では、変調された水平パラボラ信号ＨＰ１のピークが水平方向の右にシフトし、管面下部では、変調された水平パラボラ信号ＨＰ１のピークが水平方向の左にシフトする。
【００７１】
図３（ｄ）の水平パラボラ信号ＨＰ１と図３（ｂ）のＨＶクロストークＣＲとが合成（加算）されることにより、図３（ｅ）に示すように、管面上部および管面下部において、合成された波形のピークが水平方向の中央に位置する。
【００７２】
このようにして、パラボラ変調回路１２からは、補正された水平パラボラ信号ＨＰ１が出力される。パラボラ変調回路１２から出力される水平パラボラ信号ＨＰ１が補正電流出力アンプ７により増幅されるとともに、補正電流出力アンプ７から出力される補正電流ａｍ０がトランス６の一次巻線に流れる。
【００７３】
垂直アンプ１は、垂直走査周期で変化する鋸波電圧ＳＷに応答して垂直走査周期で変化する鋸波状の垂直偏向電流ＶＩを出力する。トランス６の一次巻線に流れる電流により二次巻線に補正電流ａｍ１が得られる。補正電流ａｍ１は、図３（ｅ）に示した合成波形と同様に、水平走査周期でパラボラ状に変化する。この補正電流ａｍ１が垂直アンプ１から出力される垂直偏向電流ＶＩに重畳される。それにより、ＨＶクロストークの影響を受けることなく、ＮＳ糸巻歪が補正される。
【００７４】
次に、ＣＲＴと偏向ヨークとの組み合わせにより管面の水平方向の左右で歪が異なる場合のＮＳ糸巻歪について図４を用いて説明する。図４はＮＳ糸巻歪が管面上で左右対称な場合の水平パラボラ信号およびＮＳ糸巻歪が管面上で左右非対称な場合の水平パラボラ信号を説明するための図である。
【００７５】
図４（ａ）はＣＲＴと偏向ヨークとの組み合わせによりＣＲＴ管面上のＮＳ糸巻歪が左右対称となっている場合に管面上に表示される横線を示す。図４（ａ）に示すように、ＣＲＴ管面上のＮＳ糸巻歪が左右対称となっている場合には、図４（ｃ）に示すように、左右対称な水平パラボラ信号ＨＰを発生するように図１の水平パラボラ信号発生回路３２が設定される。
【００７６】
図４（ｂ）はＣＲＴと偏向ヨークとの組み合わせによりＣＲＴ管面上のＮＳ糸巻歪が左右非対称となっている場合に管面上に表示される横線を示す。図４（ｂ）に示すように、ＣＲＴ管面上のＮＳ糸巻歪が左右非対称となっている場合には、図４（ｄ）に示すように、左右非対称な水平パラボラ信号ＨＰを発生するように図１の水平パラボラ信号発生回路３２が設定される。
【００７７】
図５は水平パラボラ信号発生回路３２の構成の参考例を示すブロック図である。図６は図５の水平パラボラ信号発生回路３２の動作を説明するための波形図である。図６（ａ）において、ＢＲは水平ブランキング期間を示す。図６（ｂ），（ｃ），（ｄ）においては、水平ブランキング期間の表示を省略している。
【００７８】
図５に示すように、水平パラボラ信号発生回路３２は、水平折れ線鋸波発生器３２１、折り返し波形発生器３２２およびｎ乗波形発生器３２３を含む。水平折れ線鋸波発生器３２１は、水平走査周期で変化する水平折れ線鋸波ＨＳを発生する。折り返し波形発生器３２２は、水平折れ線鋸波ＨＳに基づいて水平折り返し波形ＲＴを発生する。ｎ乗波形発生器３２３は、水平折り返し波形ＲＴに基づいてｎ乗波形のピークをシフトさせることにより水平パラボラ信号ＨＰを発生する。
【００７９】
図６（ａ）に示すように、水平折れ線鋸波発生器３２１により発生される水平折れ線鋸波ＨＳでは、振幅が１／２となる点ＰＯを水平走査期間の中央から前後に移動させることができる。それにより、水平折れ線鋸波ＨＳは、振幅１／２の点ＰＯで折れ曲がり、点ＰＯの前後の期間が変化する。図６（ａ）では、振幅１／２の点ＰＯが水平走査期間の中央からずれている場合の水平折れ線鋸波ＨＳを太線で示し、振幅１／２の点ＰＯが水平走査期間の中央にある場合の水平折れ線鋸波ＨＳを細線で示す。なお、図６（ａ）では、水平折れ線鋸波ＨＳが振幅１／２の点ＰＯで折れ曲がることを強調するために、細線で示される水平折れ線鋸波ＨＳの位相を太線で示される水平折れ線鋸波ＨＳの位相に対してΔＴずれるように表されているが、実際には、細線で示される水平折れ線鋸波ＨＳの位相は太線で示される水平折れ線鋸波ＨＳの位相と一致している。
【００８０】
図６（ｂ）に示すように、折り返し波形発生器３２２により発生される折り返し波形ＲＴの後半の部分は、振幅１／２の点ＰＯで上に折り返されている。図６（ｂ）においても、折り返し波形ＲＴが振幅１／２の点で折り返されていることを強調するために、細線で示される折り返し波形ＲＴの位相を太線で示される折り返し波形ＲＴの位相に対してΔＴずれるように表されている。実際には、図６（ｃ）に示すように、細線で示される折り返し波形ＲＴの位相は太線で示される折り返し波形ＲＴの位相と一致し、細線で示される折り返し波形ＲＴの折り返し点の位相が太線で示される折り返し波形ＲＴの折り返し点の位相に対してΔＴずれる。
【００８１】
ｎ乗波形発生器３２３により水平折り返し波形ＲＴがｎ乗されることにより水平パラボラ信号ＨＰが生成される。図６（ｄ）に示すように、太線で示される水平パラボラ信号ＨＰのピークの位相Ｐ２は、細線で示される水平パラボラ信号ＨＰのピークの位相Ｐ１に対してΔＴずれる。
【００８２】
なお、ｎ乗発生器３２３におけるｎは正の実数であり、後述するガルウイング歪が発生しない場合には、ｎ乗発生器３２３によるｎ乗は２乗に設定される。
【００８３】
このようにして、水平パラボラ信号発生回路３２により図４（ｄ）に示した左右非対称な水平パラボラ信号ＨＰを発生することができる。それにより、ＣＲＴと偏向ヨークとの組み合わせにより発生する管面上で左右非対称なＮＳ糸巻歪を補正することができる。
【００８４】
次に、ＣＲＴの偏向角を増大させた場合に発生するガルウイング歪の補正について図７を用いて説明する。図２０に示したように、ガルウイング歪は、パラボラ波形を有さないので、単純なパラボラ波形を有する水平パラボラ信号ＨＰでは補正することができない。
【００８５】
図７はガルウイング歪の補正に用いるｎ乗波形を示す波形図である。図７において、ｎ乗波形はＹ＝Ｘnで表され、ｎ＝１．２、ｎ＝１．５、ｎ＝２およびｎ＝４の場合のｎ乗波形が示される。ここで、Ｙは波形の振幅であり、Ｘは水平方向の位置である。
【００８６】
図７に示すように、Ｙ＝Ｘnで表されるｎ乗波形において、ｎを変化させると、１周期の１／２の位置での振幅は変化せず、１周期の１／４の位置および３／４の位置で振幅が変化する。したがって、ＣＲＴ管面上の水平方向の長さを１とした場合に、ｎに応じて１／４の位置および３／４の位置の補正量が変化する。したがって、ｎの値を調整することにより、ガルウイング歪を補正することができる。
【００８７】
図５の水平パラボラ信号発生回路３２においては、ｎ乗波形発生器３２３におけるｎの値を調整することによりガルウイング歪を補正することができる。
【００８８】
水平パラボラ信号発生回路３２において複数のｎ乗波形を組み合わせることにより、ガルウイング歪を補正してもよい。この場合、水平パラボラ信号ＨＰの波形は、次式で表される。
【００８９】
Ｙ＝Ａn1Ｘn1＋Ａn2Ｘn2＋…＋ＡnkＸnk
上式において、ｎ１，ｎ２，…，ｎｋはそれぞれ任意の正の実数であり、Ａn1，Ａn2，…，Ａnkはそれぞれ任意の係数である。
【００９０】
例えば、水平パラボラ信号ＨＰの波形を次式のように設定してもよい。
【００９１】
Ｙ＝ＡＸ2＋ＢＸ4
上式において、ＡおよびＢは任意の係数である。水平パラボラ信号発生回路３２において係数ＡおよびＢを調整することにより、ガルウイング歪を補正することができる。
【００９２】
図８は水平パラボラ信号発生回路３２の構成の一例を示すブロック図である。図９は図８の水平パラボラ信号発生回路３２の動作を説明するための波形図である。
【００９３】
図８に示すように、水平パラボラ信号発生回路３２は、パラボラ波形発生器３３１、合成器３３２および正弦波発生器３３３を含む。パラボラ波形発生器３３１は、図５の水平折れ線鋸波発生器３２１、折り返し波形発生器３２２およびｎ乗波形発生器３２３と同様にして、水平走査周期で変化するパラボラ波形ＰＡを発生する。正弦波発生器３３３は、水平走査周期で変化する正弦波ＳＩを発生する。合成器３３２は、パラボラ波形発生器３３１により発生されたパラボラ波形ＰＡと正弦波発生器３３３により発生された正弦波ＳＩとを合成し、水平パラボラ信号ＨＰを出力する。
【００９４】
図９（ａ）に示すように、パラボラ波形発生器３３１により発生されるパラボラ波形ＰＡは、Ｙ＝Ｘ2で表される。図９（ｂ）に示すように、正弦波発生器３３３により発生される正弦波ＳＩは、Ｙ＝ｓｉｎ［（２πｆｈ・ｂ／ａ）Ｘ＋θ］で表される。ここで、ｆｈは水平走査周波数であり、ａおよびｂは任意の係数である。例えば、ｂ／ａ＝４／３である。また、θは調整可能な位相である。したがって、正弦波ＳＩは、水平走査周期のａ／ｂ倍の周期を有し、位相θが調整可能となっている。
【００９５】
図９（ｃ）に示すように、合成器３３２から出力される水平パラボラ信号ＨＰは、Ｙ＝Ｘ2＋ｓｉｎ［（２πｆｈ・ｂ／ａ）Ｘ＋θ］で表される。
【００９６】
図９（ｄ）は、パラボラ波形発生器３３１により発生されるパラボラ波形ＰＡと合成器３３２から出力される水平パラボラ信号ＨＰとを比較して示す。パラボラ波形ＰＡに正弦波ＳＩを合成（加算）することにより、パラボラ波形のピーク位置（中央部）の振幅を大きくし、ピークの両側の振幅を減少させることができる。
【００９７】
したがって、水平パラボラ信号発生回路３２において係数ａおよびｂまたは位相θを調整することにより、ガルウイング歪を補正することができる。
【００９８】
上記のように、本実施の形態の垂直偏向装置では、ＨＶクロストークの影響を受けることなく、全長短縮ＣＲＴと偏向ヨークとの組み合わせにより発生する高次の歪成分を有するＮＳ糸巻歪の補正が可能となる。また、左右非対称なＮＳ歪の補正も可能となる。さらに、偏向角が大きい場合でも、ガルウイング歪の発生を防止し、ＮＳ糸巻歪の発生を十分に補正することができる。
【００９９】
この場合、補正電流検出抵抗８、ＮＳ糸巻歪フィードバック回路９、パラボラ変調回路１２、垂直変調信号発生回路３１、水平パラボラ信号発生回路３２等をＩＣ（集積回路）化すれば、このようなＩＣ、トランス６および補正電流出力アンプ７のみによりＮＳ糸巻歪の補正が可能となり、安価にＮＳ糸巻歪の補正を行うことができる。
【０１００】
本実施の形態では、垂直アンプ１が垂直偏向電流出力回路に相当し、水平パラボラ信号発生回路３２が補正回路に相当し、パラボラ変調回路１２が変調回路に相当し、トランス６および補正電流出力アンプ７が重畳手段に相当する。
【０１０１】
（２）第２の実施の形態
図１０は本発明の第２の実施の形態における垂直偏向装置の構成を示すブロック図である。本実施の形態の垂直偏向装置は、省電力化のための構成を有する。
【０１０２】
図１０の垂直偏向装置においては、図１の垂直偏向装置の構成に垂直ブランキング回路３５がさらに付加されている。垂直ブランキング回路３５がブランキング回路に相当する。
【０１０３】
垂直ブランキング回路３５には、垂直ブランキング信号ＶＢおよび水平パラボラ信号発生回路３２からの水平パラボラ信号ＨＰが与えられる。垂直ブランキング回路３５は、垂直ブランキング信号ＶＢに基づいて垂直ブランキング期間における水平パラボラ信号ＨＰのレベルを０にし、垂直ブランキング期間のレベルが０の水平パラボラ信号（以下、垂直ブランキングされた水平パラボラ信号と呼ぶ）ＨＰｂを発生する。垂直ブランキングされた水平パラボラ信号ＨＰｂは、パラボラ変調回路１２に出力される。
【０１０４】
パラボラ変調回路１２は、垂直ブランキングされた水平パラボラ信号ＨＰｂと垂直変調信号ＶＭとを乗算することにより水平パラボラ信号ＨＰｂを垂直変調信号ＶＭで振幅変調し、垂直変調信号ＶＭに基づいて水平パラボラ信号ＨＰｂの位相を変調し、変調された水平パラボラ信号ＨＰ２を補正電流出力アンプ７の一方の入力端子に出力する。
【０１０５】
パラボラ変調回路１２から出力される水平パラボラ信号ＨＰ２が補正電流出力アンプ７により増幅されるとともに、補正電流出力アンプ７から出力される補正電流ａｍｉ０がトランス６の一次巻線に流れる。
【０１０６】
トランス６の一次巻線に流れる電流により二次巻線に補正電流ａｍｉ１が得られる。補正電流ａｍｉ１が垂直アンプ１から出力される垂直偏向電流ＶＩに重畳される。それにより、ＨＶクロストークの影響を受けることなく、ＮＳ糸巻歪が補正される。
【０１０７】
図１１は図１０の垂直偏向装置における垂直偏向電流、補正電流、垂直ブランキングされた補正電流および垂直ブランキング信号の波形図である。図１１においては、補正電流および垂直ブランキングされた補正電流の波形は大略的に示されている。
【０１０８】
図１１に示されるように、垂直偏向電流ＶＩ上に補正電流ａｍ１を重ね合わせた場合、映像が無い垂直ブランキング期間でも補正電流ａｍ１が流れる。
【０１０９】
本実施の形態では、垂直ブランキング信号ＶＢに基づいて垂直ブランキング期間において補正電流ａｍｉ１の値を０にしている。これにより、垂直ブランキング期間における補正電流出力アンプ７を省電力化することができる。
【０１１０】
したがって、本実施の形態の垂直偏向装置では、偏向角が大きい場合でも、ＨＶクロストークの影響を受けることなく、ガルウイング歪の発生を防止し、ＮＳ糸巻歪の発生を十分に補正することができるとともに、省電力化を図ることができる。
【０１１１】
（３）第３の実施の形態
図１２は本発明の第３の実施の形態における垂直偏向装置の構成を示すブロック図である。
【０１１２】
図１２の垂直偏向装置において、垂直アンプ１、垂直偏向コイル２、垂直電流検出抵抗３、垂直フィードバック回路４およびトランス６の二次巻線が垂直出力回路５を構成する。垂直アンプ１の入力端子には、垂直走査周期で変化する鋸波電圧ＳＷが与えられる。垂直アンプ１の出力端子と接地端子との間には垂直偏向コイル２、トランス６の二次巻線および垂直電流検出抵抗３が直列に接続されている。トランス６の二次巻線と垂直電流検出抵抗３との接続点は、垂直フィードバック回路４を介して垂直アンプ１の入力端子に接続されている。
【０１１３】
補正電流出力アンプ７の出力端子は、トランス６の一次巻線の一端に接続されている。トランス６の一次巻線の他端は、補正電流検出抵抗８を介して接地端子に接続されている。補正電流出力アンプ７の一方の入力端子には後述する加算器１４の出力信号ＡＤが与えられる。トランス６の一次巻線の他端と補正電流検出抵抗８との接続点は、ＮＳ糸巻歪フィードバック回路９を介して補正電流出力アンプ７の他方の入力端子に接続されている。
【０１１４】
パラボラ変調回路１２には、垂直変調信号発生回路３１により発生された垂直変調信号ＶＭおよび水平パラボラ信号発生回路３２により発生された水平パラボラ信号ＨＰが与えられる。パラボラ変調回路１２は、水平パラボラ信号ＨＰと垂直変調信号ＶＭとを乗算することにより水平パラボラ信号ＨＰを垂直変調信号ＶＭで振幅変調し、変調された水平パラボラ信号ＨＰ１を加算器７の一方の入力端子に出力する。図２（ｃ）に示したように、垂直走査期間の前半では、水平パラボラ信号ＨＰ１の極性は反転せず、水平パラボラ信号ＨＰ１の振幅は垂直変調信号ＶＭのレベルにしたがって徐々に減少し、垂直走査期間の後半では、水平パラボラ信号ＨＰ１の極性が反転し、水平パラボラ信号ＨＰ１の振幅は垂直変調信号ＶＭのレベルにしたがって徐々に増加する。
【０１１５】
図１２のパラボラ変調回路１２が、図１のパラボラ変調回路１２と同様に、垂直変調信号ＶＭに基づいて水平パラボラ信号ＨＰの位相を変調してもよい。それにより、ＨＶクロストーク成分の影響を受けることなく、ＮＳ糸巻き歪を補正することができる。
【０１１６】
図１２の垂直偏向装置は、複数のパルス発生部１８を備える。本実施の形態では、二つのパルス発生部１８が設けられている。各パルス発生部１８は、パルス波高値制御回路１５、パルス極性制御回路１６およびパルス発生位相制御回路１７を含む。パルス発生位相制御回路１７は、水平走査周期でパルス信号を発生するとともに、そのパルス信号の位相またはパルス幅を制御する。パルス極性制御回路１６は、パルス発生位相制御回路１７により発生されたパルス信号の極性を制御する。パルス波高値制御回路１５は、パルス極性制御回路１６により出力されたパルス信号の波高値を制御する。各パルス発生部１８のパルス発生位相制御回路１７は、それぞれ独立にパルス信号の位相またはパルス幅を制御する。また、各パルス発生部１８のパルス極性制御回路１６は、それぞれ独立にパルス信号の極性を制御する。さらに、各パルス発生部１８のパルス波高値制御回路１５は、それぞれ独立にパルス信号の波高値を制御する。
【０１１７】
垂直走査期間パルス変調回路（以下、パルス変調回路と略記する）１３には、垂直変調信号ＶＭおよび複数のパルス発生部１８により発生されたパルス信号Ｐ１，Ｐ２が与えられる。パルス変調回路１３は、複数のパルス発生部１８により与えられたパルス信号Ｐ１，Ｐ２を垂直変調信号ＶＭで変調し、変調されたパルス信号Ｐ１ａ，Ｐ２ａを加算器１４の他方の入力端子に与える。
【０１１８】
加算器１４は、パラボラ変調回路１２により与えられた水平パラボラ信号ＨＰ１およびパルス変調回路１３により与えられたパルス信号Ｐ１ａ，Ｐ２ａを加算し、加算結果を示す出力信号ＡＤを補正電流出力アンプ７の一方の入力端子に与える。ここで、パラボラ変調回路１２は、垂直変調信号ＶＭの前半の鋸波部分で水平パラボラ信号ＨＰの極性をそのまま出力するとともに水平パラボラ信号ＨＰの振幅を鋸波のレベルで徐々に減少させ、垂直変調信号ＶＭの後半の鋸波部分で水平パラボラ信号ＨＰの極性を反転させるとともに水平パラボラ信号ＨＰの振幅を鋸波のレベルで徐々に増加させる。
【０１１９】
本実施の形態では、図２１の自乗波形と高次歪成分を有する波形との差分を補正するために図１２のパルス発生部１８が用いられる。
【０１２０】
図１２の水平パラボラ信号発生回路３２の構成および動作は、図１の水平パラボラ信号発生回路３２の構成および動作と同様である。ただし、本実施の形態の垂直偏向装置では、後述するようにパルス変調回路１３、加算器１４およびパルス発生部１８によりガルウイング歪が補正されるので、水平パラボラ信号発生回路３２がガルウイング歪の補正機能を有さなくてもよい。
【０１２１】
図１３は図１２の垂直偏向装置におけるＮＳ糸巻歪補正を説明するための波形図である。
【０１２２】
図１３（ａ）はパラボラ変調回路１２により出力される水平パラボラ信号ＨＰ１を示し、図１３（ｂ）はパルス変調回路１３から出力されるパルス信号Ｐ１ａ，Ｐ２ａを示し、図１３（ｃ）は加算器１４の出力信号ＡＤを示し、図１３（ｄ）は垂直偏向コイル２に流れる補正電流ＡＭ１を示す。
【０１２３】
図１３（ａ）に示すように、パラボラ変調回路１２からは、垂直変調信号ＶＭで変調された自乗波形を有する水平パラボラ信号ＨＰ１が出力される。図１３（ｂ）に示すように、パルス変調回路１３からは、垂直変調信号ＶＭで変調されたパルス信号Ｐ１ａ，Ｐ２ａが出力される。
【０１２４】
図１３（ｃ）に示すように、加算器１４により図１３（ａ）の水平パラボラ信号ＨＰ１と図１３（ｂ）のパルス信号Ｐ１ａ，Ｐ２ａとが加算され、加算結果を示す出力信号ＡＤが出力される。
【０１２５】
さらに、加算器１４の出力信号ＡＤが補正電流出力アンプ７により増幅されるとともに、補正電流出力アンプ７から出力される補正電流ＡＭがトランス６の一次巻線に流れる。トランス６の一次巻線に流れる電流により二次巻線に発生する電流が垂直偏向コイル２により積分される。それにより、パルス成分が積分され、高次歪成分を補正する図１３（ｄ）に示す補正電流ＡＭ１が得られる。それにより、図２０（ｃ）に示したガルウイング歪の発生が防止される。
【０１２６】
上記のように、図１２のパルス発生部１８は、パルス発生位相制御回路１７、パルス極性制御回路１６およびパルス波高値制御回路１５を含むので、パルス信号Ｐ１ａ，Ｐ２ａの位相、パルス信号Ｐ１ａ，Ｐ２ａの幅、パルス信号Ｐ１ａ，Ｐ２ａの波高値、およびパルス信号Ｐ１ａ，Ｐ２ａの極性を変化させることができる。したがって、種々の大きさ、幅および極性の高次歪成分を補正することができる。
【０１２７】
図１３の例では、負極性のパルス信号Ｐ１ａ，Ｐ２ａを示しているが、パルス発生部１８から正極性のパルス信号を発生した場合には、図１３（ｄ）の補正電流ＡＭ１の破線部分は上に凸の形状となる。
【０１２８】
本実施の形態では、２組のパルス発生部１８を用いた場合を説明しているが、垂直偏向コイル２の局所的な歪による垂直偏向電流ＶＩの歪についても、第３または第４のパルス発生部を準備することにより補正することができる。
【０１２９】
上記のように、本実施の形態の垂直偏向装置では、偏向角が大きい場合でも、ガルウイング歪の発生を防止し、ＮＳ糸巻歪を十分に補正することができる。また、ＨＶクロストークの影響を受けることなく、全長短縮ＣＲＴと偏向ヨークとの組み合わせにより発生する高次の歪成分を有するＮＳ糸巻歪の補正が可能となる。さらに、左右非対称なＮＳ歪の補正も可能となる。
【０１３０】
この場合、補正電流検出抵抗８、ＮＳ糸巻歪フィードバック回路９、パラボラ変調回路１２、パルス変調回路１３、加算器１４、複数のパルス発生部１８等をＩＣ（集積回路）化すれば、このようなＩＣ、トランス６および補正電流出力アンプ７のみによりＮＳ糸巻歪の補正が可能となり、安価にＮＳ糸巻歪の補正を行うことができる。
【０１３１】
本実施の形態では、垂直アンプ１が垂直偏向電流出力回路に相当し、水平パラボラ信号発生回路３２が補正回路に相当し、パラボラ変調回路１２が変調回路に相当し、パルス発生部１８がパルス発生回路に相当する。また、加算器１４が合成手段に相当し、トランス６および補正電流出力アンプ７が重畳手段に相当する。さらに、パラボラ変調回路１２が第１の変調回路に相当し、パルス変調回路１３が第２の変調回路に相当する。
【０１３２】
（４）第４の実施の形態
図１４は本発明の第４の実施の形態における垂直偏向装置の構成を示すブロック図である。本実施の形態の垂直偏向装置は、省電力化のための構成を有する。
【０１３３】
図１４の垂直偏向装置においては、図１２の垂直偏向装置の構成に点線で示す垂直ブランキング回路１９がさらに付加されている。垂直ブランキング回路１９がブランキング回路に相当する。
【０１３４】
垂直ブランキング回路１９には、垂直ブランキング信号ＶＢおよび加算器１４の出力信号ＡＤが与えられる。垂直ブランキング回路１９の出力信号ＡＤ１は補正電流出力アンプ７の一方の入力端子に与えられる。
【０１３５】
図１５は図１４の垂直偏向装置における垂直偏向電流、補正電流、垂直ブランキングされた補正電流および垂直ブランキング信号の波形図である。図１５においては、補正電流および垂直ブランキングされた補正電流の波形は大略的に示されている。
【０１３６】
図１５に示されるように、垂直偏向電流ＶＩ上に補正電流ＡＭを重ね合わせた場合、映像が無い垂直ブランキング期間でも補正電流ＡＭが流れる。
【０１３７】
本実施の形態では、垂直ブランキング信号ＶＢに基づいて垂直ブランキング期間において補正電流ＡＭＩの値を０にしている。これにより、垂直ブランキング期間における補正電流出力アンプ７を省電力化することができる。
【０１３８】
したがって、本実施の形態の垂直偏向装置では、偏向角が大きい場合でも、ガルウイング歪の発生を防止し、ＨＶクロストークの影響を受けることなく、ＮＳ糸巻歪を十分に補正することができるとともに、省電力化を図ることができる。
【０１３９】
なお、上記第１〜第４の実施の形態の垂直偏向装置では、ＨＶクロストークを補正する機能、左右非対称なＮＳ糸巻歪を補正する機能およびガルウイング歪を補正する機能を有しているが、垂直偏向装置がこれらの機能のうちいずれか１つの機能または２つの機能を有してもよい。
【産業上の利用可能性】
【０１４０】
本発明は、ＣＲＴを用いたテレビジョン受像機、モニタ装置等の映像表示装置等に利用することができる。
【図面の簡単な説明】
【０１４１】
【図１】本発明の第１の実施の形態における垂直偏向装置の構成を示すブロック図
【図２】図１の垂直偏向装置の各部の信号波形図
【図３】図１の垂直偏向装置におけるＮＳ糸巻歪補正を説明するための図
【図４】ＮＳ糸巻歪が管面上で左右対称な場合の水平パラボラ信号およびＮＳ糸巻歪が管面上で左右非対称な場合の水平パラボラ信号を説明するための図
【図５】水平パラボラ信号発生回路の構成の参考例を示すブロック図
【図６】図５の水平パラボラ信号発生回路の動作を説明するための波形図
【図７】ガルウイング歪の補正に用いるｎ乗波形を示す波形図
【図８】水平パラボラ信号発生回路の構成の一例を示すブロック図
【図９】図８の水平パラボラ信号発生回路の動作を説明するための波形図
【図１０】本発明の第２の実施の形態における垂直偏向装置の構成を示すブロック図
【図１１】図１０の垂直偏向装置における垂直偏向電流、補正電流、垂直ブランキングがかかった補正電流および垂直ブランキング信号の波形図
【図１２】本発明の第３の実施の形態における垂直偏向装置の構成を示すブロック図
【図１３】図１２の垂直偏向装置におけるＮＳ糸巻歪補正を説明するための波形図
【図１４】本発明の第４の実施の形態における垂直偏向装置の構成を示すブロック図
【図１５】図１４の垂直偏向装置における垂直偏向電流、補正電流、垂直ブランキングがかかった補正電流および垂直ブランキング信号の波形図
【図１６】（ａ）ＣＲＴ管面上のＮＳ糸巻歪の例を示す図および（ｂ）垂直偏向電流に重ね合わされたＮＳ糸巻歪補正電流を示す図
【図１７】従来の過飽和リアクタ方式によるＮＳ糸巻歪補正を示す概略図
【図１８】ＨＶクロストークを説明するための図
【図１９】ＮＳ糸巻歪の補正を説明するための概念図
【図２０】ガルウイング歪の発生を説明するための概念図
【図２１】自乗波形および高次歪成分を有する波形を正規化して示す図
【符号の説明】
【０１４２】
１  垂直アンプ
２  垂直偏向コイル
３  垂直電流検出抵抗
４  垂直フィードバック回路
５  垂直出力回路
６  トランス
７  補正電流出力アンプ
８  補正電流検出抵抗
９  ＮＳ糸巻歪フィードバック回路
１２  垂直走査期間水平パラボラ変調回路
１３  垂直走査期間パルス変調回路
１４  加算器
１５  パルス波高値制御回路
１６  パルス極性制御回路
１７  パルス発生位相制御回路
１８  パルス発生部
１９，３５  垂直ブランキング回路
３１  垂直変調信号発生回路
３２  水平パラボラ信号発生回路
ＶＩ  垂直偏向電流
ＨＰ  水平パラボラ信号
ＨＰ１，ＨＰ２  変調された水平パラボラ信号
ａｍ０，ａｍ１，ａｍｉ０，ａｍｉ１，ＡＭ，ＡＭ１，ＡＭＩ，ＡＭＩ１，  補正電流
ＶＭ  垂直変調信号
Ｐ１，Ｐ２，Ｐ１ａ，Ｐ２ａ  パルス信号
ＶＢ  垂直ブランキング信号
【図１】
2007028655.tif 000003
【図２】
2007028655.tif 000004
【図３】
2007028655.tif 000005
【図４】
2007028655.tif 000006
【図５】
2007028655.tif 000007
【図６】
2007028655.tif 000008
【図７】
2007028655.tif 000009
【図８】
2007028655.tif 000010
【図９】
2007028655.tif 000011
【図１０】
2007028655.tif 000012
【図１１】
2007028655.tif 000013
【図１２】
2007028655.tif 000014
【図１３】
2007028655.tif 000015
【図１４】
2007028655.tif 000016
【図１５】
2007028655.tif 000017
【図１６】
2007028655.tif 000018
【図１７】
2007028655.tif 000019
【図１８】
2007028655.tif 000020
【図１９】
2007028655.tif 000021
【図２０】
2007028655.tif 000022
【図２１】
2007028655.tif 000023